【手続補正書】
【提出日】平成18年5月22日(2006.5.22)
【手続補正１】
【補正対象書類名】特許請求の範囲
【補正対象項目名】全文
【補正方法】変更
【補正の内容】
【特許請求の範囲】
【請求項１】
ダイレクトコンバージョンアナログ受信機上で所定の伝送チャンネルを介して受信されたＲＦマルチキャリア信号上に導入されたＩＱ不均衡を決定するための方法であって、
ａ）外部の送信機で発生されかつ上記チャンネルを介して伝送されたトレーニング信号を、上記受信機上で受信するステップと、
ｂ）上記受信機によって上記トレーニング信号を復調するステップと、
ｃ）上記トレーニング信号の上記ＩＱ不均衡を示す少なくとも１つのＩＱ不均衡パラメータを、上記復調されたトレーニング信号から決定するステップとを含み、
ステップｃ）は、
ｄ）上記復調されたトレーニング信号に基づいて上記チャンネルの第１の周波数領域チャンネル特性を推定するステップと、
ｅ）上記チャンネルの補正された周波数領域チャンネル特性と上記第１のチャンネル特性との間の予め決められた関係であって、少なくとも１つのＩＱ不均衡パラメータを含む予め決められた関係を定義するステップと、
ｆ）上記補正されたチャンネル特性がチャンネルの拘束条件を満たすような方法で、上記少なくとも１つのＩＱ不均衡パラメータを決定するステップとを含むことを特徴とする方法。
【請求項２】
上記チャンネルの拘束条件は、上記補正されたチャンネル特性が上記第１のチャンネル特性より滑らかであるというものであることを特徴とする請求項１記載の方法。
【請求項３】
上記チャンネルの拘束条件は、上記補正されたチャンネル特性が上記第１のチャンネル特性より大きなコヒーレンス帯域幅を有するというものであることを特徴とする請求項１又は２記載の方法。
【請求項４】
上記チャンネルの拘束条件は、上記補正されたチャンネル特性が可能な限り滑らかであるというものであることを特徴とする請求項１乃至３のうちのいずれかの請求項に記載の方法。
【請求項５】
上記補正されたチャンネル特性は、連続したチャンネル係数にてなるセットを備えることと、
上記少なくとも１つのＩＱ不均衡パラメータは、上記連続したチャンネル係数間の誤差のノルムを最小化することによって決定されることとを特徴とする請求項１乃至４のうちのいずれかの請求項に記載の方法。
【請求項６】
上記誤差のノルムは平均２乗誤差であることを特徴とする請求項５記載の方法。
【請求項７】
上記予め決められた関係は、
【数１】
2005527152.tif 000001
で定義され、ここで、
ｈは上記第１のチャンネル特性であり、
【数２】
2005527152.tif 000002
は上記補正されたチャンネル特性であり、
ｔ’＝ｔ・ｔｍであってｔは上記トレーニング信号であり、
α及びβは上記ＩＱ不均衡パラメータであり、
（）＊は複素共役であり、
（）ｍは鏡像であることを特徴とする請求項１乃至６のうちのいずれかの請求項に記載の方法。
【請求項８】
上記ＩＱ不均衡パラメータは、
【数３】
2005527152.tif 000003
と、
【数４】
2005527152.tif 000004
又は
【数５】
2005527152.tif 000005
とによって決定され、ここで、Ｒ（）は実数部を示し、Ｉ（）は虚数部を示すことを特徴とする請求項７記載の方法。
【請求項９】
上記方法はさらに、
ｇ）上記復調されたトレーニング信号から搬送波周波数オフセットの推定量を決定するステップと、
ｈ）上記復調されたトレーニング信号を、上記搬送波周波数オフセットの推定量に等しい補償位相にわたって回転させ、これにより前方に回転されたトレーニング信号を取得するステップと、
ｉ）上記前方に回転されたトレーニング信号から上記第１のチャンネル特性を決定するステップと、
ｊ）上記復調されたトレーニング信号を上記補償位相にわたって逆回転させ、これにより逆回転されたトレーニング信号を取得するステップと、
ｋ）上記逆回転されたトレーニング信号から第２のチャンネル特性を決定するステップとを含み、
上記予め決められた関係はさらに上記第２のチャンネル特性を含むことを特徴とする請求項１乃至６のうちのいずれかの請求項に記載の方法。
【請求項１０】
上記予め決められた関係は、
【数６】
2005527152.tif 000006
で定義され、ここで、
ｈ１は上記第１のチャンネル特性であり、
ｈ２は上記第２のチャンネル特性であり、
【数７】
2005527152.tif 000007
は上記補正されたチャンネル特性であり、
α及びβは上記ＩＱ不均衡パラメータであり、
（）＊は複素共役であることを特徴とする請求項９記載の方法。
【請求項１１】
上記ＩＱ不均衡パラメータは、
【数８】
2005527152.tif 000008
と、
【数９】
2005527152.tif 000009
又は
【数１０】
2005527152.tif 000010
によって決定され、ここで、Ｒ（）は実数部を示し、Ｉ（）は虚数部を示すことを特徴とする請求項１０記載の方法。
【請求項１２】
上記方法はさらに、
ｌ）上記復調されたトレーニング信号から搬送波周波数オフセットの推定量を決定するステップと、
ｍ）上記搬送波周波数オフセットの推定量から複数の搬送波間干渉パラメータを決定するステップとを含み、
上記予め決められた関係はさらに上記複数の搬送波間干渉パラメータを含むことを特徴とする請求項１乃至６のうちのいずれかの請求項に記載の方法。
【請求項１３】
上記複数の搬送波間干渉パラメータは、
【数１１】
2005527152.tif 000011
で定義され、ここで、
γｎはｎ番目の搬送波の搬送波間干渉パラメータであり、
ＣＦＯは上記搬送波周波数オフセットの推定量であり、
Δｆは上記ＲＦマルチキャリア信号の搬送波間の間隔であり、
Ｎｓｃは上記ＲＦマルチキャリア信号の合計の搬送波数であることを特徴とする請求項１２記載の方法。
【請求項１４】
【数１２】
2005527152.tif 000012
とするとき、上記予め決められた関係は、
【数１３】
2005527152.tif 000013
で定義され、ここで、
ｈｉは上記第１のチャンネル特性ｈのｉ番目の係数であり、
【数１４】
2005527152.tif 000014
は上記補正されたチャンネル特性
【数１５】
2005527152.tif 000015
のｉ番目の係数であり、
ｔｉは上記トレーニング信号ｔのｉ番目の係数であり、
α及びβは上記ＩＱ不均衡パラメータであり、
（）＊は複素共役であることを特徴とする請求項１３記載の方法。
【請求項１５】
【数１６】
2005527152.tif 000016
とするとき、上記ＩＱ不均衡パラメータは、
【数１７】
2005527152.tif 000017
と、
【数１８】
2005527152.tif 000018
又は
【数１９】
2005527152.tif 000019
とによって決定され、ここで、Ｒ（）は実数部を示し、Ｉ（）は虚数部を示すことを特徴とする請求項１４記載の方法。
【請求項１６】
ダイレクトコンバージョンアナログ受信機上で所定の伝送チャンネルを介して受信されたＲＦマルチキャリア信号上に導入されたＩＱ不均衡を決定するための方法であって、
ｎ）外部の送信機で発生されかつ上記チャンネルを介して伝送されたトレーニング信号であって、同一のＬＴＳ（長いトレーニングシンボル）として送信された少なくとも連続した第１及び第２のＬＴＳを備えたトレーニング信号を、上記受信機上で受信するステップと、
ｏ）第１の訂正されたＬＴＳと上記第１の受信されたＬＴＳとの間の第１の予め決められた関係であって、少なくとも１つのＩＱ不均衡パラメータを含む第１の予め決められた関係を定義するステップと、
ｐ）第２の訂正されたＬＴＳと上記第２の受信されたＬＴＳとの間の第２の予め決められた関係であって、少なくとも１つのＩＱ不均衡パラメータと搬送波周波数オフセットの補償量とを含む第２の予め決められた関係を定義するステップと、
ｑ）上記トレーニング信号から上記搬送波周波数オフセットの補償量を決定するステップと、
ｒ）上記第１の訂正されたＬＴＳと上記第２の訂正されたＬＴＳとの間の差を最小化することにより上記少なくとも１つのＩＱ不均衡パラメータを決定するステップとを含む方法。
【請求項１７】
上記第１及び第２の予め決められた関係は各々、
【数２０】
2005527152.tif 000020
及び、
【数２１】
2005527152.tif 000021
で定義され、ここで、
【数２２】
2005527152.tif 000022
は上記第１の訂正されたＬＴＳであり、
【数２３】
2005527152.tif 000023
は上記第２の訂正されたＬＴＳであり、
ｙ１は上記第１の受信されたＬＴＳであり、
ｙ２は上記第２の受信されたＬＴＳであり、
−ＣＦＯは上記搬送波周波数オフセットの補償量であり、
α及びβは上記ＩＱ不均衡パラメータであり、
（）＊は複素共役であることを特徴とする請求項１６記載の方法。
【請求項１８】
上記ＩＱ不均衡パラメータは、
【数２４】
2005527152.tif 000024
と、
【数２５】
2005527152.tif 000025
又は
【数２６】
2005527152.tif 000026
とによって決定され、ここで、Ｒ（）は実数部を示し、Ｉ（）は虚数部を示すことを特徴とする請求項１７記載の方法。
【請求項１９】
ダイレクトコンバージョンアナログ受信機上で所定の伝送チャンネルを介して受信されたＲＦマルチキャリア信号上に導入されたＩＱ不均衡を決定するための方法であって、
ｓ）外部の送信機で発生されかつ上記チャンネルを介して伝送されたトレーニング信号を、上記受信機上で受信するステップと、
ｔ）上記トレーニング信号から搬送波周波数オフセットを決定するステップと、
ｕ）上記搬送波周波数オフセットに基づいて、請求項１乃至１５のうちのいずれかの請求項に記載の方法と、請求項１６乃至１８のうちのいずれかの請求項に記載の方法との間で選択し、上記少なくとも１つのＩＱ不均衡パラメータを決定するステップとを含む方法。
【請求項２０】
上記請求項１乃至１５記載の方法は、オフセットがトリガ値以下であるときに選択され、上記請求項１６乃至１８記載の方法はオフセットが上記トリガ値を超えるときに選択されることを特徴とする請求項１９記載の方法。
【請求項２１】
上記トリガ値は１５ｋＨｚであることを特徴とする請求項２０記載の方法。
【請求項２２】
ダイレクトコンバージョンアナログ受信機上で所定の伝送チャンネルを介して受信されたＲＦマルチキャリア信号上に導入されたＩＱ不均衡を補償するための方法であって、
ｖ）請求項１乃至２１のうちのいずれかの請求項に記載の方法によって少なくとも１つのＩＱ不均衡パラメータを決定するステップと、
ｗ）上記少なくとも１つのＩＱ不均衡パラメータによって、上記受信されたＲＦ信号のＩＱ不均衡を補償するステップとを含む方法。
【請求項２３】
ダイレクトコンバージョンアナログ受信機上で所定の伝送チャンネルを介して受信されたＲＦマルチキャリア信号上に導入されたＩＱ不均衡を補償するための方法であって、
ｘ）請求項９乃至２１のうちのいずれかの請求項に記載の方法によって、少なくとも１つのＩＱ不均衡パラメータと搬送波周波数オフセットの推定量とを決定するステップと、
ｙ）上記搬送波周波数オフセットの推定量によって、上記受信されたＲＦ信号の搬送波周波数オフセット（carrier frequency offset）を補償するステップと、
ｚ）上記少なくとも１つのＩＱ不均衡パラメータによって、上記ＣＦＯが補償された信号のＩＱ不均衡を補償するステップとを含む方法。
【請求項２４】
上記方法はさらに、上記補正されたチャンネル特性によって、上記ＩＱが補償された信号を等化するステップを含むことを特徴とする請求項２２又は２３記載の方法。
【請求項２５】
上記請求項１乃至２４のうちのいずれかの請求項に記載の方法を実行するための論理回路を備えた装置。
【請求項２６】
上記装置は少なくとも１つのＦＦＴブロックを備えたことを特徴とする請求項２５記載の装置。
【請求項２７】
上記請求項２５又は２６記載の装置を備えた無線システム。
【請求項２８】
マシンによる読み取りが可能でありかつ上記請求項１乃至２４のうちのいずれかの請求項に記載の方法を実行するための命令のプログラムを符号化したプログラム記憶装置。
【手続補正２】
【補正対象書類名】明細書
【補正対象項目名】００１６
【補正方法】変更
【補正の内容】
【００１６】
本発明はさらに、ＩＱ不均衡及びＣＦＯを決定するための上述の方法のうちの１つ又は複数を用いて、ＩＱ不均衡を補償し、またオプションでＣＦＯを補償するための方法に関する。最後に本発明はまた、これらの方法を実行するための装置、このような装置を備える無線システム、及びこれらの方法の１つを実行するための命令にてなるプログラムが格納されるデータキャリアに関する。
【手続補正３】
【補正対象書類名】明細書
【補正対象項目名】００１７
【補正方法】変更
【補正の内容】
【００１７】
要約すれば、本発明に係る方法は、複雑度が小さい推定／補償方式によって、ダイレクトコンバージョンアナログ受信機に起因して発生するＩＱ不均衡に取り組むことを可能にする。本発明は、１つのＯＦＤＭトレーニングシンボル上に集中する（収束する）方式の設計を可能にする。さらに本発明は、大きな周波数オフセットの存在下であっても、大きなＩＱ不均衡（ε＝１０％，Δφ＝１０゜）を除去し、また残存する平均の性能低下量を０．５ｄＢまで低下させることを可能にする。その結果、受信機のＩＱ不整合に係る仕様は大幅に緩和されることが可能になり、よって、より安価な構成要素を使用できるようになり、設計時間を短縮することができる。言い替えれば、本発明の方法により低コスト及び低複雑度のＯＦＤＭ受信機を設計することが可能になり、本発明の方法はＷＬＡＮシステムにおける実行のために甚だ適したものとなる。